Podtech/llm-jp-corpus-v4-ja_patent huggingface dataset:
(57)【要約】【課題】カーマットの滑り止めに用いるシートを提供することである。【解決手段】一面にパイル１２を突出させたシート部材１０ａと、他面にパイル１２を突出させたシート部材１０ｂを縫合線１４で接合して滑り止めシートを形成したのである。【選択図】図１
2005212685.tif 000002
【特許請求の範囲】
【請求項１】
フレキシブルな基材の両面にパイルを突出させた滑り止めシート。
【請求項２】
複数のフレキシブルな基材の表面にパイルを突出させ、前記パイルがそれぞれ一方の面と他方の面に突出するように前記複数の基材を接合した滑り止めシート。
【請求項３】
前記パイルの全てがカットパイルから成るかまたは一部にループパイルを含むパイル面より成る請求項１または２に記載の滑り止めシート。
【請求項４】
前記パイルがモノフィラメントより成り、その太さが５０〜３０００デニールである請求項１〜３のいずれかに記載の滑り止めシート。
【請求項５】
前記パイルがＢＣＦより成り、その単糸の太さが３〜２００デニールである請求項１〜３のいずれかに記載の滑り止めシート。
【請求項６】
前記パイルの長さが約０．５〜約３０ｍｍである請求項１〜５のいずれかに記載の滑り止めシート。
【請求項７】
前記基材が通気性及び／もしくは止水性を有する請求項１〜６のいずれかに記載の滑り止めシート。
【発明の詳細な説明】
【技術分野】
【０００１】
この発明は、所謂カーマットと車床の床敷マットとの間に敷いてカーマットの滑り止めに用いるシートに関する。
【背景技術】
【０００２】
カーマットは、車床に防音性、耐振性、クッション性などを付与し、また車内装飾用として使用されているが、最近特に防音性に重点をおいたカーマットが普及し始めている。
【発明の開示】
【発明が解決しようとする課題】
【０００３】
このようにカーマットは、防音性の向上を目的として、裏面に不織布や発泡樹脂が貼り付けられている。しかしながら、これらの不織布や発泡樹脂は、床敷マットとの摩擦力が充分でないため、カーマットがずれ動いて運転に支障をきたすなどの問題が起きている。
【０００４】
そこで、この発明の課題は、カーマットの滑り止めに有効なシートを提供することである。
【課題を解決するための手段】
【０００５】
上記の課題を解決するために、この発明の滑り止めシートは、フレキシブルな基材の両面にパイルを突出させたものである。この基材は複数であっもよく、両面にパイルが突出するよう反転させて接合すればよい。前記パイルはカットパイルがよく、一部分にループパイルを含んでいてもよい。このパイルをモノフィラメントで形成することができ、その場合の単糸の太さは５０〜３０００デニールがよい。またパイルを複数本から成るＢＣＦで形成することができ、その場合の単糸の太さは３〜２００デニールが好ましい。パイルの長さは、約０．５〜約３０ｍｍである。さらに前記基材は通気性及び／もしくは止水性を有する材料が好ましい。
【発明の効果】
【０００６】
この発明によれば、以上のように、滑り止めシートの基材の両面にパイルを突出させたので、車床の床敷きマットとカーマットとの間に敷くことによって、床敷きマットとカーマットの両者にパイルがくい込み、カーマットの滑り止めに効果を発揮する。また、抜糸止めコートの材料によっても滑り止め効果がある。
【発明を実施するための最良の形態】
【０００７】
図１及び図２に示すように、この発明の滑り止めシートは、基材１１にパイル１２を設け、パイル１２の抜糸止めコート１３を施したシート部材１０ａと、このシート部材１０ａと同じ構造でこれを反転させたシート部材１０ｂを縫合線１４によって接合し、周縁部にオーバロックテープ１５を縫着したものである。
【０００８】
前記基材１１は、フレキシブルで特に通気性を有する材料、例えば織布や不織布、編布などが好ましい。また、パイル１２は、ポリアミド樹脂、ポリオレフィン樹脂、ポリエステル樹脂等から成るモノフィラメントや複数の単糸を集合したＢＣＦ（bulky continued filament）が好適であり、前者の場合単糸の太さは５０〜３０００デニール、後者の場合単糸の太さは３〜２００デニールが好ましい。また、パイル１２はカットパイルが普通であるが一部分、例えば２０％以下のループパイルを混合させてもよい。パイル長は約０．５ｍｍ〜約３０ｍｍが好ましく、必要に応じてクリンプ加工や熱セット加工を施すことができる。パイルの形成方法は、タフティングが普通であるがパイル織物、パイル編物でもよい。
【０００９】
前記抜糸止めコート１３は、滑り止め効果のある発泡樹脂などが好ましい。さらに、抜糸止めコート１３の外面に滑り止めコートを施しておくことができる。
【００１０】
前記シート部材と反転させたシート部材とを接合するパターンは図１、図２に示すものに限らず、例えば図３（イ）に示すように、長さ方向に表面と裏面にパイルが交互に現れるよう接合した滑り止めシートや、図３（ロ）に示すように、表面は中央部分に帯状のパイル、裏面は両側に帯状のパイルが現れるように、長さ方向に２ケ所の縫合線１４ａ、１４ｂで接合した滑り止めシート、図３（ハ）に示すように、表裏縞模様状にパイルを配列した滑り止めシートなどがある。
【００１１】
上記のほか、図４に示すように、シート部材１０ａと１０ｂの裏面どうしを接合して滑り止めシートを形成してもよい。接合方法は縫着でもよいが、接着剤を用いてもよい。接着剤を用いる場合には、基材１１の通気性を阻害しないように、図示のような間欠的接着剤層１６を設けるのがよい。
【００１２】
上記のような滑り止めシートを用いる場合には、図５に示すように、車内の床敷きマットＡに直接滑り止めシートを敷き、その上にカーマットＢを重ねて敷く。こうすると、滑り止めシート裏面のパイル１２が床敷きマットＡにくい込み、表面のパイル１２がカーマットＢの裏打ち材Ｂ’、例えば不織布や発泡樹脂などにくい込み、滑り止めシートが床敷きマットＡとカーマットＢとの間に介在してグリップ性を発揮し、カーマットＢの床敷きマットＡに対するずれを防止する。
【図面の簡単な説明】
【００１３】
【図１】この発明の滑り止めシートを示す縦断面図
【図２】同上の滑り止めシートの斜視図
【図３】この発明の滑り止めシートの他の例を示す斜視図
【図４】滑り止めシートのさらに他の例を示す縦断面図
【図５】滑り止めシートの使用法を示す縦断面図
【符号の説明】
【００１４】
１０ａ、１０ｂ  シート部材
１１  基材
１２  パイル
１３  抜糸止めコート
１４、１４ａ、１４ｂ  縫合線
１５  オーバロックテープ
１６  接着剤層
Ａ  床敷きマット
Ｂ  カーマット
Ｂ’  カーマットの裏打ち材
【図１】
2005212685.tif 000003
【図２】
2005212685.tif 000004
【図３】
2005212685.tif 000005
【図４】
2005212685.tif 000006
【図５】
2005212685.tif 000007
(57)【要約】【課題】  本発明は、チャック部を設け密封収容する包装袋において、開封時に密着状態の袋を容易に開けられるよう、チャック部の上部に実線又は点線で表した並列する切断線を袋表面に印刷し、その切断線を適宜位置で迂曲図形を描き、切断線に沿って切断することにより、切断部分が開口縁になり前後対称の山形突片が形成され、その山形突片を指で握り左右に引くことで開口が容易にできる密封包装袋を得る。【解決手段】  熱接着性合成樹脂フィルムを用いて袋本体を形成し、その袋本体の開口部にはチャック部を設け、チャック部に近接した上部に並列となる実線又は点線で表す切断線を袋表面に印刷し、その切断線が適宜位置で迂曲図形を描き、切断線に沿って切断することにより、切断部分が開口縁になり前後対称の山形突片が形成される手段を講ずる。【選択図】  図１
2005212902.tif 000002
【特許請求の範囲】
【請求項１】
熱接着性合成樹脂フィルムを用いて袋本体を形成し、その袋本体の開口部にはチャック部を設け、チャック部に近接した上部に並列となる実線又は点線で表す切断線を袋表面に印刷し、その切断線が適宜位置で迂曲図形を描き、切断線に沿って切断することにより、切断部分が開口縁になり前後対称の山形突片が形成されることを特徴とする開口が容易にできる密封包装袋。
【請求項２】
前記袋表面に印刷される切断線を適宜位置で複数の迂曲図形を描き、切断線に沿って切断することにより、切断部分が開口縁になり前後対称で複数の山形突片が形成される請求項１記載の開口が容易にできる密封包装袋。
【請求項３】
前記袋本体のチャック部に近接した上部おいて、並列方向となる袋表面の中央部に山形曲線を印刷し、チャック部に近接した上部の袋外縁より切断し、山形曲線に沿って切断する請求項１記載の開口が容易にできる密封包装袋。
【請求項４】
前記袋表面に印刷される切断線が適宜位置で任意図形を描き、切断線に沿って切断することにより、切断部分が開口縁になり前後対称で複数の任意突片が形成される請求項１記載の開口が容易にできる密封包装袋。
【発明の詳細な説明】
【技術分野】
【０００１】    本発明は、開口が容易にできる密封包装袋に関する。
【背景技術】
【０００２】
【特許文献１】        特許出願平７−２１９１７３  特許公開平９−５８７０３
【特許文献２】        特許出願２００３−４３６０６６
【特許文献３】        特許出願２００３−４３６９３３
【発明の開示】
【発明が解決しようとする課題】
【０００３】    従来のチャック付密封包装袋は、開口縁に直線のミシン目と近接してチャック部を設けていた為、袋を閉じると密着状態となり開口部が開け難い問題があった。【０００４】    本発明は、チャック部を設け密封収容する包装袋において、開封時に密着状態の袋を容易に開けられるよう、チャック部の上部に実線又は点線で表した並列する切断線を袋表面に印刷し、その切断線を適宜位置で迂曲図形を描き、切断線に沿って切断することにより、切断部分が開口縁になり前後対称の山形突片が形成され、その山形突片を指で握り左右に引くことで開口が容易にできる密封包装袋の提供を目的とするものである。
【課題を解決するための手段】
【０００５】    前記の課題を達成するため、熱接着性合成樹脂フィルムを用いて袋本体を形成し、その袋本体の開口部にはチャック部を設け、チャック部に近接した上部に並列となる実線又は点線で表す切断線を袋表面に印刷し、その切断線が適宜位置で迂曲図形を描き、切断線に沿って切断することにより、切断部分が開口縁になり前後対称の山形突片が形成される手段を講ずる。【０００６】    また、袋表面に印刷される切断線を適宜位置で複数の迂曲図形を描き、切断線に沿って切断することにより、切断部分が開口縁になり前後対称で複数の山形突片が形成されるようにしてもよい。【０００７】    また、袋本体のチャック部に近接した上部おいて、並列方向となる袋表面の中央部に山形曲線を印刷し、チャック部に近接した上部の袋外縁より切断し、山形曲線に沿って切断するようにしてもよい。【０００８】    そして、袋表面に印刷される切断線が適宜位置で任意図形を描き、切断線に沿って切断することにより、切断部分が開口縁になり前後対称で複数の任意突片が形成されることが好ましい。
【発明の効果】
【０００９】    本発明の、開口が容易にできる密封包装袋は、袋本体のチャック部に近接した上部に、並列した実線又は点線で表す切断線に迂曲図形を描き印刷されたことで、その切断線に沿って切断すれば、開口縁に前後対称の山形突片が形成となり、山形突片を指で握り左右に開き密着状態の袋を容易に開けられ、スムーズな開閉動作により袋内の物品の取り出しと、袋内の鮮度保持にも有用なものである。
【発明を実施するための最良の形態】
【００１０】    発明の実施するための最良の形態を実施例にもとづき図面を参照して説明する。図１〜図２で示す実施例では、熱接着性合成樹脂フィルムを用いて袋本体２を形成し、その袋本体２の開口部３にはチャック部４を設け、チャック部４に近接した上部に並列となる実線５又は点線６で表す切断線７を袋表面に印刷し、その切断線７が適宜位置で迂曲図形８を描き、切断線７に沿って切断することにより、切断部分が開口縁９になり前後対称の山形突片１０が形成されるようにしている。【００１０】    また、図３で示す実施例では、袋表面に印刷される切断線７を適宜位置で複数の迂曲図形８を描き、切断線７に沿って切断することにより、切断部分が開口縁９になり前後対称で複数の山形突片１０が形成されている。【００１１】    そして、図４で示す実施例では、袋本体２のチャック部４に近接した上部おいて、並列方向となる袋表面の中央部１１に山形曲線１２を印刷し、チャック部４に近接した上部の袋外縁１３より切断し、山形曲線１２に沿って切断できるようにしている。【００１２】    以上のような構成により、袋本体２のチャック部４に近接した上部に並列する実線５又は点線６で表す切断線７を切断することにより、切断部分が開口縁９となって前後対称の山形突片１０が形成され、その山形突片１０を指で握り左右に開くと密着した袋が容易に開けられるようになる。
【図面の簡単な説明】
【００１３】
【図１】  本発明の実線による切断線の実施例を示す正面図である。
【図２】  本発明の点線による切断線の実施例を示す正面図である。
【図３】  本発明の複数の迂曲図形の実施例を示す正面図である。
【図４】  本発明の中央部の山形曲線を示す正面図である。
【符号の説明】
【００１４】  １  熱接着性合成樹脂フィルム
２  袋本体
３  開口部
４  チャック部
５  実線
６  点線
７  切断線
８  迂曲図形
９  開口縁
１０  山形突片
１１  山形曲線
１２  袋外縁
【図１】
2005212902.tif 000003
【図２】
2005212902.tif 000004
【図３】
2005212902.tif 000005
【図４】
2005212902.tif 000006
(57)【要約】【課題】他人の手を借りたりのみ終ってもこぼさないようになどと気をくばる必要のないものを得る。【解決手段】容器５の栓３に固着したスプリング１を立ち上げ先端の折り曲げ部をストロー４に固着した８の穴２にさしこみストロー４を引いても抜け出ないよう防止した。吸のみ後、手を離せば湾曲したスプリング１とストロー４は復元し水、果汁は流出しない。【選択図】図１
2005212901.tif 000002
【特許請求の範囲】
【請求項１】
容器５の栓３に固着したスプリング１を立ち上げストロー４をスプリング１に添わせて容器内に挿入した水、果汁吸のみ器。
【発明の詳細な説明】
【発明の詳細な説明】
【技術分野】
【０００１】本発明は水や果汁を吸のみする器に関するものである。
【背景技術】
【０００２】ストローを付けてのみ易いようにしたりのみ口の形状を工夫してこぼれないようになどと苦心のあとはみられるがいずれも気を配って使用しなければならない不便があった。
【発明が解決しようとする課題】
【０００３】こぼさないようになどと気を配らなくてものみ口を手で引きよせ、のみ終ったら離すだけで水の流出が止まる器があればという願いがあった。
【課題を解決するための手段】
【０００４】本発明は容器の栓の外周にスプリングを固着して上方に立ち上げ、ストローをスプリングに添わせて容器内に挿入する。のみ口を引き寄せればストローは抜け出してしまうのでストローに固着した突起を設けて穴をあけスプリングの上端を折り曲げて挿入する使用時、弾性を有するスプリングは湾曲しストローも連動するのみ終って手を離せば復元して流出しない。
【実施例】
【０００５】本発明の水、果汁吸のみ器は図１に示されたように任意の吊り具に容器を差し入れベッド枕元の枠にかけての使用例である。容器を吊り具から外して任意の位置で使用出来る。【０００６】図３に示されるように容器５の栓３の外周にスプリング１を固着して上方に立ち上げスプリング１に添ってストロー４を容器５に挿入し底面６に落着させる。【０００７】図４はスプリング１の上端周辺部の拡大図である。ストロー４を引くと抜け出てしまうので防止策としてストロー４の外周に突起８を固着させて穴２をあけてスプリング１の先端を折り曲げて差しこむ。ストロー４を下方に押せば着脱可能。【０００８】図５は吸のみ時のスプリング１とストロー４の湾曲状態を示す図である。
【発明の効果】
【０００９】以上のように本発明によればストローを手で引き寄せて吸のみし終ったら離すだけでスプリングの弾性で復元して、水果汁は流出しない。
【図面の簡単な説明】
【００１０】
【図１】本発明による任意の使用状況を示す図である
【図２】水果汁吸のみ器のストロー４を除外した平面図である
【図３】水果汁吸のみ器の断面図である
【図４】水果汁吸のみ器のスプリング１の上端周辺部拡大図である
【図５】水果汁吸のみ器の使用時スプリング１とストロー４の湾曲状態を示す図である
【符号の説明】
【００１１】１・・・・スプリング
２・・・・止め穴
３・・・・容器の栓
４・・・・ストロー
５・・・・容器
６・・・・容器底面
７・・・・吸のみ口
８・・・・ストローに固差した突起物
【図１】
2005212901.tif 000003
【図２】
2005212901.tif 000004
【図３】
2005212901.tif 000005
【図４】
2005212901.tif 000006
【図５】
2005212901.tif 000007
(57)【要約】【課題】  従来のハザードランプスイッチは、ダッシュボードの中央付近にあり、走行中に運転者が操作するのには遠く、不便で危険だった。  それにハザードランプと方向指示灯（ウインカー）と同時に点滅させているときがあり、解除するには煩雑だった。【解決手段】  ダッシュボードにあるスイッチはそのままに、方向指示器レバー（１）の先端内部にハザードランプスイッチ（２）を設ける。これにより運転者は、方向指示灯（ウインカー）とハザードランプ両方を点けていたとしても、ハンドルから手を離さず同じ指で、両方の電源を操作することができる。一連の動作は、走行中でも前方より視線をそらすことなく、確実に行うことができ、安全運転に寄与するものである。【選択図】  図１
2005212771.tif 000002
【特許請求の範囲】
【請求項１】
レバーにハザードランプスイッチを設けた方向指示器。
【発明の詳細な説明】
【技術分野】
【０００１】  本発明は、方向指示器レバーの先端内部にハザードランプスイッチを設けた、ハザードランプスイッチ付き方向指示器に関するものである。
【背景技術】
【０００２】  従来、ハザードランプスイッチは、ダッシュボードの助手席側に近い中央部にだけ設置されていた。
【発明の開示】
【発明が解決しようとする課題】
【０００３】  これは、次のような問題点があった。
ハザードランプスイッチが、ダッシュボードの助手席側に近い中央部にあるため、運転手は左手を大きく伸ばして、スイッチを押さなければならなかった。また、方向指示灯（ウインカー）と同時に点滅させている時があり、発進するときなど、左手はダッシュボードのハザードランプスイッチを、右手は方向指示器レバーと、両手を右往左往しなければならず煩雑であった。【０００４】  最近は渋滞の最後尾時や、駐車車庫入れ中、お礼の挨拶など車同士のコミュニケーションの手段として、走行中にハザードランプを使うことも少なくなく、ダッシュボードにあるスイッチを押すには、車前方から目を離し、かつハンドルからも手を離さなければならず大変危険であった。【０００５】  本発明は、以上のような問題点を解決するために、ハザードランプおよび、方向指示灯（ウインカー）を煩雑な行動を強いることなく安全に、使用できるようになされたものである。
【課題を解決するための手段】
【０００６】  本発明は、上記目的を達成するために、従来からのダッシュボードのハザードランプスイッチに加え、方向指示器レバーの先端内部にも、ハザードランプスイッチスイッチを設ける。そしてレバーの長さは、ハンドルに手を置いたまま、指先がレバー先端に掛かる長さにする。
以上の構成よりなるハザードランプスイッチ付き方向指示器である。
【発明の効果】
【０００７】  ハザードランプスイッチが、方向指示器レバーと一体となっているので、ハンドルから手を離さず、指一本でスイッチを入れたり切ったりすることができる。また、方向指示灯（ウインカー）と同時に入れていたとしても、同様に同じ指一本で、両方の電源を操作することができる。この一連の動作は、走行中でも前方より視線をそらすことなく、確実に行うことができ、安全運転に寄与する。【０００８】  ハザードランプスイッチを方向指示灯（ウインカー）と同じレバーに設けることは、同じ役割のランプのスイッチをまとめることであり、人間工学的に優れている。
【発明を実施するための最良の形態】
【０００９】  以下、本発明の実施例について説明する。
図１において、方向指示器レバー（１）の先端内部にハザードランプスイッチ（２）（以下スイッチと略す）を設ける。通常この状態は、電源切の状態（２ａ）で、レバー先端部より、スイッチ部分は出ていない。これは、誤ってスイッチに触り、ハザードランプが点滅しないようにするためである（誤作動防止）。【００１０】  図２において、スイッチを押すと入の状態（２ｂ）で、ハザードランプが点滅する。もう一度押すと、スイッチ面は戻りレバー先端部と面一となって、電源は切れる。
なお、スイッチの入の状態は、目視しなくとも、手探りでもわかるように、凹である。【００１１】  以上のような構造で、レバーの先端内部にスイッチを設けることにより、走行中でもハンドルから手を離さないで、ハザードランプと方向指示灯（ウインカー）両方の電源を同じ指先で、操作することができる。なお、レバーの長さは、ハンドルに手を置いたままで、レバーの先端が指に掛かる長さとする（従来の長さと同様）。
【図面の簡単な説明】
【００１２】
【図１】  本発明のハザードランプスイッチが電源切の状態の斜視図である。
【図２】  本発明のハザードランプスイッチが電源入の状態の斜視図である。
【図３】  本発明の側面図である。
【図４】  本発明の図３におけるＡ−Ａ線の一部断面図である。
【符号の説明】
【００１３】    １  方向指示器レバー
２  ハザードランプスイッチ
２ａ  電源が切の状態のスイッチ表面の位置
２ｂ  電源が入の状態のスイッチ表面の位置
【図１】
2005212771.tif 000003
【図２】
2005212771.tif 000004
【図３】
2005212771.tif 000005
【図４】
2005212771.tif 000006
(57)【要約】【課題】  従来の家庭用電気製品に対応したポータブル発電機の携帯を容易にする。【解決手段】  家庭用電気製品に対応した発電機能を、原動機付自転車を含む自動二輪に付け携帯を容易にする。【特許請求の範囲】
【請求項１】
原動機付自転車を含む自動二輪に家庭用電気製品に対応した発電機能を付け、家庭用電気製品を使用できるようにする。
【発明の詳細な説明】
【技術分野】
【０００１】  本発明は、原動機付自転車を含む自動二輪にそのエンジンを利用して家庭用電気製品に対応した発電機能を付け、場所を選ばずどこでも家庭用電気製品を使用できるようにしたものである。
【背景技術】
【０００２】  従来、ポータブル発電機は内燃焼機関を使用しているため、その大きさや重さにより携帯に不便である。発電機能のみ有するポータブル発電機の利用価値は高いが普及率は低い。
【発明の開示】
【発明が解決しようとする課題】
【０００３】  解決しようとする問題点は、家庭用電気製品に対応したポータブル発電機の給油及び携帯がその大きさや重さのため不便であることである。
【課題を解決するための手段】
【０００４】  本発明は原動機付自転車を含む自動二輪の移動が可能なため、家庭用電気製品に対応したポータブル発電機の給油や携帯が容易になる。また、それが乗り入れられるところであれば、家庭用電気製品をどこでも使用可能にする。
【発明の効果】
【０００５】  本発明の家庭用電気製品に対応した発電機能が付いた原動機付自転車を含む自動二輪は、場所を選ばずどこでも家庭用電気製品を使用できるようにするものである。原動機付自転車を含む自動二輪はポータブル発電機と部品の共有が多いため、車体に家庭用電気製品に対応した発電機能を付けても追加費用は低くできる。また、災害時などにおける停電においても、家庭用電気製品が容易に使用できる。
【発明を実施するための最良の形態】
【０００６】  本発明は原動機付自転車を含む自動二輪に家庭用電気製品に対応した発電機能を付ける。
(57)【要約】【課題】従来のシートベルトロック金具の差込金具形状は、シートベルトの固定機能しか無かった物を、差込金具兼用非常脱出用ハンマーを提供すること。【解決手段】差込金具本体１の側面に突起４を設ける。この突起４は複数設けられた四角錐状、三角錐状、円錐状、半円球状等の突起である【選択図】図１
2005212770.tif 000002
【特許請求の範囲】
【請求項１】
シートベルトロック金具の差込金具本体の側面に突起を設けたことを特徴とする差込金具兼用非常用ハンマー
【請求項２】
前記突起は、複数設けられた四角錐状、三角錐状、円錐状、半円球状等の突起であることを特徴とする請求項１記載の差込金具兼用非常用ハンマー
【発明の詳細な説明】
【技術分野】
【０００１】この発明は、車等の乗り物に用いる非常脱出用ハンマー形状に関する。
【背景技術】
【０００２】従来のシートベルトロック金具の差込金具形状は、図２に示すように、差込金具の本体１に差込部分２とシートベルトを受ける長方形の穴３が設けられたものである。
【発明の開示】
【発明が解決しようとする課題】
【０００３】しかしながら、以上の技術によれば、シートベルトの固定機能しか無かった。
そこで、この発明は、差込金具兼用非常脱出用ハンマーを提供することを課題とする。
【課題を解決するための手段】
【０００４】以上の課題を解決するために、第一発明は、差込金具側面に突起を設けたことを特徴とする差込金具兼用非常脱出用ハンマーである。
また、第二発明は、差込金具側面の突起に四角錐状等を設け、この四角錐状等の突起は複数設けられた突起であることを特徴とする差込金具兼用非常脱出用ハンマーである。
【発明の効果】
【０００５】第一発明、または第二発明によれば、差込金具に四角錐状等の突起を設けたので、非常脱出時に窓ガラスへの破壊力があり、収納時には邪魔にならず且つ美観の妨げにもならず、非常時には取り易く、狭い車内で振り回しても邪魔にならず、加工費用も安い。
【発明を実施するための最良の形態】
【０００６】この発明の一実施形態を、図１に示す。
差込金具の本体１は金属製であり、この本体１の側面には、金属製の四角錐状等の突起４が一体的に設けられている。
この突起４は複数設けられている。【０００７】「実施形態の効果」
この実施形態によれば、四角錐状等の突起４の働きで、差込金具の本体１を握り突起４を窓ガラスに打ち当てる事により破壊し緊急脱出できる。【０００８】「他の実施形態」
図１の実施形態では、四角錐状の突起４であったが、他の実施形態では、三角錐状、円錐状、半円球状等の突起を複数設けたものでも良い。
【図面の簡単な説明】
【０００９】
【図１】この発明の一実施形態を示す斜視図である。
【図２】従来技術を示す斜視図である。
【符号の説明】
【００１０】１  差込金具本体    ２  差込部分    ３  シートベルト受部分    ４  突起
【図１】
2005212770.tif 000003
【図２】
2005212770.tif 000004
(57)【要約】【課題】  砂内への過度の潜り込みと、砂内での反転を防止することができる錨を提供すること。【解決手段】  アンカーシャンクの先端に板状の錨爪を備えてなる錨において、前記錨爪の両面に錨爪の面に対して直交する制御板を一体的に取り付けたことを特徴とする。【選択図】        図１
2005212764.tif 000002
【特許請求の範囲】
【請求項１】
アンカーシャンクの先端に板状の錨爪を備えてなる錨において、前記錨爪の両面に錨爪の面に対して直交する制御板を一体的に取り付けたことを特徴とする錨。
【発明の詳細な説明】
【技術分野】
【０００１】  本発明は、板状の錨の海底等の砂内への過度の潜り込みと、砂内での反転を防止することができる錨に関するものである。
【背景技術】
【０００２】
【特許文献１】  実開昭５６−４４９９７号公報
【特許文献２】  特開２０００−１６３８０号公報
【発明の開示】
【発明が解決しようとする課題】
【０００３】  従来から、小型船舶の停泊用として、アンカーシャンクの先端に錨爪を備え、基端にロープを備えた図２に記載する板状の錨は特許文献１、２に示されるように既に公知である。【０００４】  このような錨は、海や湖又は河川などにおいて、主として小型船舶が停泊する際に使用されているが、従来公知のこの種錨にあっては、板状であまり抵抗がないため、海底等の砂内へ潜り込みが大きくなり、引き上げの際に抵抗が大きくなって引き上げ難いという問題点があり、また、砂内に潜り込んでいるときに波の煽りを受けて浮き上がり、反転して砂から出てしまい錨の作用ができないという問題点があった。
【発明の目的】
【０００５】  本発明は、砂内への過度の潜り込み及び砂内での反転を防止する錨を提供することを目的とするものである。
【課題を解決するための手段】
【０００６】  本発明に係る錨は、アンカーシャンクの先端に板状の錨爪を備えてなる錨において、前記錨爪の両面に錨爪の面に対して直交する制御板を一体的に取り付けたことを特徴とするものである。
【発明の作用】
【０００７】  本発明では、錨爪の両面に錨爪の面に対して直交する制御板を一体的に取り付けてあるので、錨爪が砂内に潜り込もうとするときに制御板が抵抗となって過度の深さまで潜り込むことがなく、また、錨爪が反転しようとしても制御板がこれを阻止する。
【実施例】
【０００８】  図１は、本発明に係る錨の斜視図、図２は、従来の錨の斜視図である。【０００９】  図において、１、１は、本発明の錨を構成する錨爪であって、基幹部材２に間隔を開けて固着されている。【００１０】  ３は、基幹部材２を貫通するシャフト２−１に枢支されるアンカーシャンクであって、錨爪１、１の間を通過して一定角度回動できるようになっており、船舶から投げ入れたとき、錨爪１、１の面がどちらの向きになっていても海底の砂内に潜り込むようになっている。これらの構成は図２の従来の錨と同じである。【００１１】  ４は、錨爪１，１の両面にこの錨爪の面に対して直交するように取り付けられた制御板であって、図のように直線状であっても波状にうねった形状であってもよい。【００１４】  次に、本発明錨の具体的用法を説明する。【００１２】  本発明に係る錨は、従来の錨と同様、船舶を停泊しようとする海上から海中に投錨され、投下された錨は、その錨爪１、１が砂内に潜って爬駐されたり、岩礁等に掛かって船舶が停泊可能となるが、船舶を移動する場合は、アンカーシャンク３に接続されるロープを人為的又は機械的に引っ張って錨を引き揚げることになる。【００１３】  錨爪１、１が砂内に潜るとき、錨爪１、１の両面にある制御板４．．．４の抵抗によって過度の潜り込みが防止され、また、爬駐されているとき、波の煽りを受けて浮き上がり、反転しようとしてもこの錨爪１、１の両面にある制御板４．．．４が抵抗して反転を阻止し、繋留中の不測の事態を回避することができるものである。
【発明の効果】
【００１４】  以上述べた如く、本発明に係る錨によれば、アンカーシャンクの先端に板状の錨爪を備えてなる錨において、前記錨爪の両面に錨爪の面に対して直交する制御板を一体的に取り付けたものであるから、錨爪が砂内に潜るとき、錨爪の両面にある制御板の抵抗によって過度の潜り込みが防止され、また、爬駐されているときに反転しようとしてもこの錨爪の両面にある制御板が抵抗して反転を阻止し、繋留中の不測の事態を回避することができるという効果を奏し得るもので、簡単な構造であるにも拘わらずその作用効果は多大である。
【図面の簡単な説明】
【図１】  本発明に係る錨の斜視図である。
【図２】  従来の錨の斜視図である。
【符号の説明】
１          錨爪
２          基幹部材
３          アンカーシャンク
４          制御板
【図１】
2005212764.tif 000003
【図２】
2005212764.tif 000004
(57)【要約】【課題】温度計測において市販温度センサーの固定は、通常被測定体にテープ又はパテ、結束体等により行われているが、スペースの狭い個所への装着が不可能であったり、固定或いは取り外しの際に容易に行う事が困難で装着不良等が発生し精度のよい計測が出来なかった。【解決手段】温度センサーと取り付け用のクリップを一体化することにより被測定体に簡単かつ正確に狭いスペースへの装着及び取り外しを実現可能とした。これにより被測定体の測定が精度よく行う事が出来るようになった。【選択図】図１
2005062014.tif 000002
【特許請求の範囲】
【請求項１】
一対のクリップ３、クリップ４と前記クリップの内側に固定された一対の断熱材２及び前記クリップ３、４を連結するピン５、前記クリップ３、４の開閉を補助する前記ピン５に挿入されたバネ６、前記クリップ３の断熱材２に固定された温度センサー１からなるクリップ温度センサー。
【請求項２】
前記クリップ温度センサーにおいて、前記クリップ３、４に固定された断熱材２は、前記クリップ３、４及び外気からの熱の影響を回避するために設けられ前記温度センサー１の温度測定精度を上げるように構成されたクリップ温度センサー。
【請求項３】
前記温度センサー１の被測定体との接触を有効に保持する機能として、前記ピン５に挿入された前記バネ６に初期力を与えるように前記クリップ３に前記バネの一端を引っ掛け保持するように構成されたクリップ温度センサー
【請求項４】
被測定体に温度センサー１を取り付ける際は、前記クリップ３、４を摘み被測定体の幅に合せ一定間隔を保持した状態で前記温度センサー１を最適な位置に固定させる事が可能となるように前記クリップの大きさを変更して対応可能なクリップ温度センサー
【請求項５】
前記温度センサー１は、被測定体の測定温度に合せ、熱伝対、白金等に交換可能としたクリップ温度センサー
【請求項６】
前記断熱材２を絶縁体とすることにより、被計測体が導電性体であれば、センサー間に電流を流すことにより、計測準備完了等の信号を受け取ることを可能としたクリップ温度センサー
【請求項７】
前記温度センサー１の装着をセンサー部位が、中空部分になるように装着することにより様々なガスの雰囲気温度を計測可能なクリップ温度センサー
【発明の詳細な説明】
【技術分野】
【０００１】
本発明は、固体表面温度、気体雰囲気温度測定に際して被測定体に対して温度センサーを取付る手段として容易かつ安定的に作業を行える事を可能とした温度センサー内蔵式温度計測センサーに関するものである。
【背景技術】
【０００２】
従来の温度センサーは棒状又は板状で装着する方法で提供され、これらを装着あるいは固定する方法は、被測定体にテープ又はパテ又は結束帯などである又、隙間が少なくて手の届かない所は装着は不可能の場合も有った。
装着した温度センサーの上に保温シート又はパテなどで保護しなければ外気温の影響を受け精密な温度計測が行えない。その為、測定に際しては、被測定体にテープ又はパテ又は結束帯など（以降  テープ等）の方法で温度センサーを装着固定し、計測終了後に元の姿に戻すにも前記テープ等を除去し温度センサーを取り外すといった手間がかかっていた。又被測定体に傷をつける事が発生する事も有った。
【０００３】
【特許文献１】特開昭６１−１３９７３２号公報
【特許文献２】特開昭６１−１３９７３３号公報
【特許文献３】特開昭６１−１４４５２８号公報
【発明の開示】
【発明が解決しようとする課題】
【０００４】
温度センサーと取り付ける金具、テープ等を一体化すれば、容易かつ確実に装着が可能に成りうる、上述の手段として、温度センサーとクリップが一体化した温度センサーで有れば、図２のように、温度計測の被計測体を挟み込めば、クリップのスプリングで有る一定の接触力でセンサーを密着することが出来、装着不良を回避することになる。
【０００５】
センサーとクリップとの間に保温効果を有する絶縁体を組み込むと、センサーを包み込むように密着させれば、従来技術のように温度センサーの上に保温シート又はパテなどで保護しなくても、外気温の影響を受ける事も少なくなりより精密な計測が行える。
【課題を解決するための手段】
【０００６】
発明のクリップ温度センサーは温度を計測したい物体にクリップを挟み込むだけで挟み込んだ部分の温度を計測する事が出来、簡単かつ確実に計測が行える。又、隙間の少ないスペースにおいては、従来では、固定する手段がなく計測不可能であったが、クリップを固定する微小なスペースを確保することができれば計測が可能となる、計測終了後は簡単に跡形も残さず取り外すことが出来る。
【発明の効果】
【０００７】
装着、取り外しを容易にしただけでなく、図３のようにセンサー部の陽極と陰極を分離しておけば被測定体が導電性であれば装着するだけで、計測器がセンサー装着されたことを、関知する事が可能となった。
また、図４のように、クリップの外面に温度センサーを一体化したクリップ温度センサーでは、計測点で挟み込めば、雰囲気温度が簡単に計測出来る。
【発明を実施するための最良の形態】
【０００８】
温度センサーと取り付け用のクリップを一体化することにより簡単かつ正確に狭いスペースへの装着及び取り外しを実現可能としたクリップ温度センサー。
【実施例】
【０００９】
本発明の一実施事例を図２に基づき説明する。８は被計測体で本発明のクリップ温度センサーを装着し、温度センサー１を被測定体に密着させるだけで計測可能となる。この場合、センサーの内側に固定されている断熱材が非導電体で、被測定体が導電体であれば、センサー間に電流が流れ、これにより被測定体にクリップ温度センサーが装着されたことを電気的に読み取ることが可能となり、計測準備完了の信号として用いることもできる。
【００１０】
本発明では、被測定体は、固体、気体、液体でも可能でありクリップに温度領域に見合った温度センサーを装着固定するだけで種々の温度測定ができ、被測定体への固定のためのクリップを止めるスペースを確保するだけで行なう事ができる。
【図面の簡単な説明】
【００１１】
【図１】本発明によるクリップ温度センサーの構成を示す。
【図２】本発明の装着事例を示す。
【図３】本発明の分解図である。
【図４】本発明の外観図
【符号の説明】
【００１２】
１  温度センサー
２  断熱材（絶縁部）
３  クリップ
４  クリップ
５  ピン
６  バネ  
７  クリップ温度センサー
８  温度センサー
【図１】
2005062014.tif 000003
【図２】
2005062014.tif 000004
【図３】
2005062014.tif 000005
【図４】
2005062014.tif 000006
(57)【要約】【課題】  この発明は、セットを分解することなく容易に液晶パネルの清掃が行えるようになる液晶プロジェクタを提供することを目的とする。【解決手段】  液晶パネルとその両側に配置された偏光板とからなる液晶ライトバルブを備えた液晶プロジェクタにおいて、液晶ライトバルブを構成する液晶パネルとその両側の偏光板との間に空気を吹きつけるためのダクトが設けられており、外部からそのダクトに空気を供給することにより、液晶パネルを清掃できるようにした。【選択図】  図２
2005062310.tif 000002
【特許請求の範囲】
【請求項１】
液晶パネルとその両側に配置された偏光板とからなる液晶ライトバルブを備えた液晶プロジェクタにおいて、
液晶ライトバルブを構成する液晶パネルとその両側の偏光板との間に空気を吹きつけるためのダクトが設けられており、外部からそのダクトに空気を供給することにより、液晶パネルを清掃できるようにしたことを特徴とする液晶プロジェクタ。
【発明の詳細な説明】
【技術分野】
【０００１】
この発明は、液晶プロジェクタに関する。
【背景技術】
【０００２】
液晶プロジェクタでは、液晶パネルに書き込まれた映像が、ランプによってスクリーン上に投射される。このため、液晶プロジェクタでは、液晶パネルにホコリ等のゴミが付着すると、液晶パネルに付着したゴミも投射されてしまう。
【０００３】
従来においては、液晶パネルにゴミが付着した場合には、液晶プロジェクタを分解して、液晶パネルを清掃することによって、液晶パネルに付着したゴミを除去していた。しかしながら、この作業を行うためには、セットを分解するための知識や、空気を吹きつける場所等の知識が必要であるため、一般のユーザがこの作業を行うことは困難であり、サービスマンによってこの作業が行われている。
【発明の開示】
【発明が解決しようとする課題】
【０００４】
この発明は、セットを分解することなく容易に液晶パネルの清掃が行えるようになる液晶プロジェクタを提供することを目的とする。
【課題を解決するための手段】
【０００５】
この発明は、液晶パネルとその両側に配置された偏光板とからなる液晶ライトバルブを備えた液晶プロジェクタにおいて、液晶ライトバルブを構成する液晶パネルとその両側の偏光板との間に空気を吹きつけるためのダクトが設けられており、外部からそのダクトに空気を供給することにより、液晶パネルを清掃できるようにしたことを特徴とする。
【発明の効果】
【０００６】
この発明によれば、セットを分解することなく容易に液晶パネルの清掃が行えるようになる。
【発明を実施するための最良の形態】
【０００７】
以下、図面を参照して、この発明の実施の形態について説明する。
【実施例１】
【０００８】
図１は、液晶プロジェクタを上から見た図を示している。
【０００９】
液晶プロジェクタには赤色光用の透過型の液晶ライトバルブ１、緑色光用の透過型の液晶ライトバルブ２および青色光用の透過型の液晶ライトバルブ３を備えている。各液晶ライトバルブ１、２、３は、入射側偏光板１ａ、２ａ、３ａと、１対のガラス基板間に液晶を封入してなるパネル部（液晶パネル）１ｂ、２ｂ、３ｂと、出力側偏光板１ｃ、２ｃ、３ｃとを備えている。
【００１０】
この液晶プロジェクタでは、各液晶ライトバルブ１、２、３毎に、パネル部（液晶パネル）とその両側の偏光板との間に空気を吹きつけるためのダクト１１、１２、１３が設けられている。
【００１１】
ダクト１３は、図１および図２に示すように、液晶ライトバルブ３の真上に配置された下面が開口した略直方体状の空気吹き出し部１３ａと、空気吹き出し部１３ａに空気を供給するための空気供給管１３ｂとからなる。空気供給管１３ｂの外端は、液晶プロジェクタ本体の側面に外部に露出した状態で固定されており、外部から空気を注入するための空気注入口となっている。空気注入口は、常時はゴムキャップ等によって閉鎖されている。      
【００１２】
同様に、他のダクト１１、１２も、液晶ライトバルブ１、２の真上に配置された下面が開口した略直方体状の空気吹き出し部１１ａ、１２ａと、空気吹き出し部１１ａ、１２ａに空気を供給するための空気供給管１１ｂ、１２ｂとからなる。空気供給管１１ｂ、１２ｂの外端は、液晶プロジェクタ本体の側面に外部に露出した状態で固定されており、外部から空気を注入するための空気注入口となっている。空気注入口は、常時はゴムキャップ等によって閉鎖されている。
【００１３】
例えば、パネル部（液晶パネル）１ｂにゴミが付着した場合には、ダクト１１の空気注入口からゴムキャップを取り外した後、エアースプレー等によって、空気注入口からダクト１１内に空気を送り込む。すると、空気吹き出し部１１ａからパネル部（液晶パネル）１ｂとその両側の偏光板１ａ、１ｃとの間に空気が吹きつけられ、パネル部（液晶パネル）１ｂに付着したゴミが除去される。
【００１４】
このように、液晶プロジェクタ本体に設けられているダクト１１、１２、１３に空気を送り込むことによって、パネル部（液晶パネル）の清掃が行えるので、セットを分解することなく容易に液晶パネルの清掃が行えるようになる。
【図面の簡単な説明】
【００１５】
【図１】液晶プロジェクタの一部切欠き平面図である。
【図２】液晶ライトバルブ３と、それを清掃するためのダクト１３とを示す拡大斜視図である。
【符号の説明】
【００１６】
１、２、３  液晶ライトバルブ
１ａ、２ａ、３ａ  入射側偏光板
１ｂ、２ｂ、３ｂ  パネル部（液晶パネル）
１ｃ、２ｃ、３ｃ  出力側偏光板
１１、１２、１３  ダクト
１１ａ、１２ａ、１３ａ  空気吹き出し部
１１ｂ、１２ｂ、１３ｂ  空気供給管
【図１】
2005062310.tif 000003
【図２】
2005062310.tif 000004
(57)【要約】【課題】脚を布製等の空気式とし、未使用時は、折りたためるようにした、軽量、コンパクトな携帯用三脚が活用できるようにする。また、脚を高くし、さらにファスナーの開閉により、水平レベル調整を出来るようにして旅先の屋外等でも直接地面において使用することが出来るようにする。【解決手段】布製等で筒状にした脚（１）の一部にファスナー（２）を取付け、内部に空気袋（３）を収納し、空気口（４）を取付ける。  脚（１）を台座（５）にピン（６）で取付け、回転できるようにし、膨らませた時に、ガイド（７）を取付け、脚を指示できるようにする。水平レベルは、それぞれの脚（１）のファスナー（２）を開くことにより、空気袋（３）の膨らみを外に逃がし、脚の高さを調整する。未使用時は、空気口（４）より、空気を抜き、ガイド（７）を取外し、脚（１）、空気袋（３）をたたみ、ピン（６）部で回転し、台座（５）に巻き付ける。【選択図】          図１
2005062435.tif 000002
【特許請求の範囲】
【請求項１】
脚を空気式にし、ファスナーにて水平レベルの調整を出来るようにした携帯用三脚。
【発明の詳細な説明】
【技術分野】
【０００１】
本発明は、三脚の足を布製等にし、内部に空気袋を収納したもので、未使用時は、折りたためるようにした、軽量、コンパクトな携帯用三脚である。また、空気袋を収納した脚にファスナーを取り付け、膨らみ加減をファスナーの開閉にて調整し、水平レベルの設定を出来るようにしたものである。
【背景技術】
【０００２】
従来の三脚は、脚が金属等でできており、携帯用のものでも重く、ポケットに収納できるようなコンパクトなものが無かった。また、携帯用のものは、旅先の屋外等で使用する場合、地面に直接置くには、高さが低く、何らかの台が必要であった。
【発明の開示】
【発明が解決しようとする課題】
【０００３】
従来の携帯用三脚には、次のような問題があった。
イ  脚が金属等でできており、重く、折りたたんだ状態をコンパクトにするのに、限界があった。
ロ  携帯用三脚の高さが低く、旅先の屋外等で使用するには、何らかの台が必要であった。
本発明は、以上の問題を解決するためになされたものである。
【課題を解決するための手段】
【０００４】
布製等で筒状にした脚（１）の一部にファスナー（２）を取付け、内部に空気袋（３）を収納し、空気口（４）で膨らませたり、空気を抜いたりできるようにする。さらに、脚（１）を台座（５）にピン（６）で取付け、回転できるようにする。続いて、脚（１）を膨らませた時に、ガイド（７）を取付けられるようにする。本発明は、以上の構成よりなるファスナー付空気式携帯用三脚である。
【発明の効果】
【０００５】
本発明を使用することによって、軽量、コンパクトに優れた携帯用三脚を活用できる。また、脚を高くすることができる為、旅先の屋外等でも直接地面において使用することができ、水平レベルの設定も簡単にできる。
【発明を実施するための最良の形態】
【０００６】
以下本発明の実施の形態を説明する。
イ  布製等で筒状にした脚（１）の一部にファスナー（２）を取付ける。
ロ  脚（１）の内部に空気袋（３）を収納し、空気口（４）を取付ける。
ハ  脚（１）を台座（５）にピン（６）で取付け、回転できるようにする。
ニ  脚（１）を膨らませた時に、ガイド（７）を取付け、脚を指示できるようにする。
【実施例】
【０００７】
本発明は、次のように使用する。台座（５）に巻き付けてあった脚(1)をほどき、ピン（６）部で回転し、3等分の方向にする。ファスナー（２）を閉じた状態で、空気口（４）より、息を吹きかけ、空気袋（３）を膨らませて、脚（１）を伸ばす。続いて、ガイド（７）を取付け、脚（１）を支持する。その後、台座（５）にカメラを取付け、撮影位置を確認する。水平レベルは、それぞれの脚（１）のファスナー（２）を開くことにより、空気袋（３）の膨らみを外に逃がし、脚の高さを調整する。撮影終了後、未使用時は、空気口（４）より、空気を抜き、ガイド（７）を取外し、脚（１）、空気袋（３）をたたみ、ピン（６）部で回転し、台座（５）に巻き付ける。
【図面の簡単な説明】
【０００８】
【図１】ファスナー付空気式携帯用三脚の全体を示した説明図である。
【図２】ファスナー付空気式携帯用三脚の携帯時を示した説明図である。
【符号の説明】
【０００９】
１  脚
２  ファスナー
３  空気袋
４  空気口
５  台座
６  ピン
７  ガイド
【図１】
2005062435.tif 000003
【図２】
2005062435.tif 000004